(57)【要約】      （修正有）【課題】矩形断面を有するシャフトをしっかり把持する際に、より接触しやすい領域の滑り抵抗を向上させつつ、シャフトから離れることなく把持位置を当該シャフトの長手方向で変更する際に当該位置を迅速かつ容易に変更可能なシャフトを提供する。【解決手段】シャフト２は、所定の繊維方向を有する中空状のプリプレグからなり、シャフトの長手方向に垂直な面でみて矩形状断面を備え、四隅の角部と、これらの角部を接続する４つの側面部とを有する。４つの側面部の少なくとも一部における特定方向への滑り抵抗は、角部の少なくとも一部における特定方向への滑り抵抗よりも大きく形成される。【選択図】図８
2020005801.tif 000002
【特許請求の範囲】
【請求項１】
所定の繊維方向を有する中空状のプリプレグからなるホッケー用シャフトであって、該シャフトの長手方向に垂直な面でみて矩形状断面を備えるシャフトであって、
四隅の角部と、これらの角部を接続する４つの側面部とを備え、該４つの側面部の少なくとも一部における特定方向への滑り抵抗は、該角部の少なくとも一部における特定方向への滑り抵抗よりも大きく形成されることを特徴とする、シャフト。
【請求項２】
前記特定の方向は、前記シャフトの長手方向の内の一方向である、請求項１に記載のシャフト。
【請求項３】
前記４つの側面部における特定方向への滑り抵抗は、該角部における特定方向への滑り抵抗よりも大きく形成される、請求項１又は２に記載のシャフト。
【請求項４】
前記プリプレグの外面に樹脂層が形成され、前記４つの側面部の少なくとも一部における樹脂層は、前記シャフトの長手方向において、所定の間隔で設けられる複数の第１の突状部と、該複数の突状部の間を接続する複数の接続部とを備え、前記角部の少なくとも一部における樹脂層は、所定の間隔で複数の第２の突状部と備えるよう構成される、請求項１又は２に記載のシャフト。
【請求項５】
前記プリプレグの外面に樹脂層が形成され、前記４つの側面部における樹脂層は、前記シャフトの長手方向において、所定の間隔で設けられる複数の第１の突状部と、該複数の突状部の間を接続する複数の接続部とを備え、前記角部における樹脂層は、所定の間隔で複数の第２の突状部と備えるよう構成される、請求項１から３までのいずれか１項に記載のシャフト。
【請求項６】
前記樹脂層に塗装層がさらに形成されることを特徴とする、請求項４又は５に記載のシャフト。
【請求項７】
前記複数の接続部は、略平坦かつ前記プリプレグの表面に略平行に形成されることを特徴とする、請求項４から６までのいずれか１項に記載のシャフト。
【請求項８】
前記所定の間隔は、０．５から５ｍｍの範囲である、請求項４から７までのいずれか１項に記載のシャフト。
【請求項９】
前記所定の間隔は、前記シャフトの長手方向における位置により異なることを特徴とする、請求項４から８までのいずれか１項に記載のシャフト。
【請求項１０】
前記第１の突状部と前記第２の突状部の高さは、１０から５０μｍの範囲である、請求項４から９までのいずれか１項に記載のシャフト。
【請求項１１】
前記４つの側面部の少なくとも一部における樹脂層の突状部の寸法は、前記シャフトの長手方向における位置により異なることを特徴とする、請求項４から１０までのいずれか１項に記載のシャフト。
【請求項１２】
前記角部の少なくとも一部における樹脂層の突状部の寸法は、前記シャフトの長手方向における位置により異なることを特徴とする、請求項４から１０までのいずれか１項に記載のシャフト。
【発明の詳細な説明】
【技術分野】
【０００１】
本発明は、競技用スティックのシャフト、例えば、アイスホッケーやフィールドホッケーなどのスティックに使用されるシャフトに関する。
【背景技術】
【０００２】
競技用のスティックの構造として、シャフトとブレードからなる様々な構成を有するものが知られている。
【０００３】
このようなスティックは、握持、保持されるシャフトと、該シャフトの先端部に一体的又は着脱可能に装着され、ボールやパックを叩くブレードと、を備える。通常、このような競技用スティックのシャフトとして、例えば、繊維強化プラスチックのような複合材料を用いることが知られている。
【０００４】
このようなシャフトは、例えば、特許文献１では、角形のマンドレルの外周に強化繊維を巻付けて複数の強化繊維層を形成し、この強化繊維層にマトリックスを液相含浸させた状態で硬化させて複合化した繊維強化複合材製中空構造物において、コーナー部における強化繊維層間に、繊維強化複合材を前記マンドレルの軸方向に沿って介在させた繊維強化複合材製中空構造物が開示されている。
【先行技術文献】
【特許文献】
【０００５】
【特許文献１】特開平３−２３４６１４号公報
【発明の概要】
【発明が解決しようとする課題】
【０００６】
しかしながら、特許文献１に係る構造物では、熱変形が均一でかつ小さく、また強度の高い繊維強化複合材製中空構造物を得ることができることが開示されているものの、当該構造物を把持する際のグリップ性は全く考慮されておらず、当該構造物の人による使いやすさが考慮されていないという問題があった。これは、従来より知られている様々な競技用スティックに広く当て嵌まる。
【０００７】
本発明は上記の事情に鑑みてなされたものであり、その目的とするところは、矩形断面を有するシャフトをしっかり把持する際により接触しやすい領域の滑り抵抗を向上させつつ、シャフトから離れることなく把持位置を当該シャフトの長手方向で変更する際に当該位置を迅速かつ容易に変更可能なるしめることにある。本発明のこれら以外の目的は、本明細書全体を参照することにより明らかとなる。
【課題を解決するための手段】
【０００８】
本発明の一実施形態に係るシャフトは、所定の繊維方向を有する中空状のプリプレグからなり、該シャフトの長手方向に垂直な面でみて矩形状断面を備え、四隅の角部と、これらの角部を接続する４つの側面部とを有し、該４つの側面部の少なくとも一部における特定方向への滑り抵抗は、該角部の少なくとも一部における特定方向への滑り抵抗よりも大きく形成される。
【０００９】
本発明の一実施形態に係るシャフトにおける前記特定の方向は、前記シャフトの長手方向の内の一方向であるよう構成される。
【００１０】
本発明の一実施形態に係るシャフトは、前記４つの側面部における特定方向への滑り抵抗は、該角部における特定方向への滑り抵抗よりも大きく形成される。
【００１１】
本発明の一実施形態に係るシャフトは、前記プリプレグの外面に樹脂層が形成され、前記４つの側面部の少なくとも一部における樹脂層は、前記シャフトの長手方向において、所定の間隔で設けられる複数の第１の突状部と、該複数の突状部の間を接続する複数の接続部とを備え、前記角部の少なくとも一部における樹脂層は、所定の間隔で複数の第２の突状部と備えるよう構成される。ここで、前記プリプレグの外面における樹脂層とは、樹脂のみや樹脂と強化繊維が混在した層をいうものとする（以下同様）。
【００１２】
本発明の一実施形態に係るシャフトは、前記プリプレグの外面に樹脂層が形成され、前記４つの側面部における樹脂層は、前記シャフトの長手方向において、所定の間隔で設けられる複数の第１の突状部と、該複数の突状部の間を接続する複数の接続部とを備え、前記角部における樹脂層は、所定の間隔で複数の第２の突状部と備えるよう構成される。
【００１３】
本発明の一実施形態に係るシャフトは、前記樹脂層に塗装層がさらに形成される。
【００１４】
本発明の一実施形態に係るシャフトは、前記複数の接続部は、略平坦かつ前記プリプレグの表面に略平行に形成される。
【００１５】
本発明の一実施形態に係るシャフトは、前記所定の間隔は、０．５から５ｍｍの範囲である。
【００１６】
本発明の一実施形態に係るシャフトは、前記所定の間隔は、前記シャフトの長手方向における位置により異なるよう構成される。
【００１７】
本発明の一実施形態に係るシャフトは、前記第１の突状部と前記第２の突状部の高さは、１０から５０μｍの範囲である。
【００１８】
本発明の一実施形態に係るシャフトは、前記４つの側面部の少なくとも一部における樹脂層の突状部の寸法は、前記シャフトの長手方向における位置により異なるよう構成される。
【００１９】
本発明の一実施形態に係るシャフトは、前記角部の少なくとも一部における樹脂層の突状部の寸法は、前記シャフトの長手方向における位置により異なるよう構成される。
【発明の効果】
【００２０】
上記実施形態によれば、矩形断面を有するシャフトをしっかり把持する際により接触しやすい領域の滑り抵抗を向上させつつ、シャフトから離れることなく把持位置を当該シャフトの長手方向で変更する際に当該位置を迅速かつ容易に変更可能となる。
【図面の簡単な説明】
【００２１】
【図１】本発明の一実施形態に係る競技用スティックの構造を示す図である。
【図２】本発明の一実施形態に係るシャフトの斜視図を示す図である。
【図３】本発明の一実施形態に係るシャフトの断面図を示す図である。
【図４】本発明の一実施形態に係るシャフトの角部における樹脂層を示す図である。
【図５】本発明の一実施形態に係るシャフトの側面部における樹脂層を示す図である。
【図６】本発明の一実施形態に係るシャフトの製造方法の一工程を示す図である。
【図７】本発明の一実施形態に係るシャフトの角部における樹脂層を示す図である。
【図８】本発明の一実施形態に係るシャフトの側面部における樹脂層を示す図である。
【発明を実施するための形態】
【００２２】
以下、本発明に係るブレードの実施形態について、添付図面を参照しながら具体的に説明する。複数の図面において共通する構素には当該複数の図面を通じて同一の参照符号が付されている。各図面は、説明の便宜上、必ずしも正確な縮尺で記載されているとは限らない点に留意されたい。
【００２３】
本発明の一実施形態に係るシャフトは、スポーツ競技のスティックに用いることができ、例えば、アイスホッケーやフィールドホッケーなどのスティックに使用することが可能である。なお、当該スティックは、特定のスポーツ競技に限定することを意図するものではない。
【００２４】
図１は、一例として、シャフト２を有する競技用スティック１の全体構成を示す図である。本発明の一実施形態における競技用スティック１は、シャフト２と、シャフト２の先端に装着され、ボールやパック等を打球するブレード５とを備えた構成となっている。前記シャフト２は、シート状ないしテープ状のプリプレグにより形成され、当該プリプレグは強化繊維（例えば、炭素繊維、ガラス繊維、アラミド繊維）にエポキシ樹脂、ポリエステル樹脂、フェノール樹脂等のマトリックス樹脂を含浸して形成された素材により構成されている。
【００２５】
本発明の一実施形態におけるシャフト２は、例えば、周方向に沿って引き揃えられた周方向強化繊維や周方向強化繊維と軸方向強化繊維（あるいは、傾斜方向強化繊維）とが織り込まれて成る織布状のものを積層して形成される。また、本発明の一実施形態におけるシャフト２は、各方向の強化繊維のプリプレグを積層して形成するようにしてもよい。
【００２６】
本発明の一実施形態におけるシャフト２には、所定の繊維方向を有する中空状のプリプレグの層の外周面に樹脂層３及び当該樹脂層３の外周面に形成された塗装層４が形成される。詳細は後述する。
【００２７】
図１に例示する競技用スティック１のブレード５は、用途によって形状や材料が選択され、シャフト２の先端に装着される。この場合、ブレード５については、シャフト２と一体化されていても良いし、交換可能に構成されていても良い。
【００２８】
シャフト２の基端部には、グリップテープ７が巻回されてもよい。通常、シャフト２は、使用者の身長や競技における各人のポジション等に応じてカットされ、このカット部分が隠蔽されるように前記グリップテープ７が巻回されている。なお、グリップテープ７は、シャフト２の外周面に直接、巻回しても良いし、握り性を考慮して、シャフト２に別部材を取着した状態で巻回しても良い。
【００２９】
次に、図２を参照して、本発明の一実施形態におけるシャフト２の構造を説明する。図示のように、本発明の一実施形態におけるシャフト２は、当該シャフト２の長手方向に垂直な面でみた断面が略矩形形状であり、かつ中空状に形成される。図示のように、本発明の一実施形態におけるシャフト２は、四隅の角部２Ａと、これらの角部２Ａ間を繋ぐ４つの側面部２ａとを有している。なお、シャフト２の内部には、振動を吸収できるように発泡体等が充填されていても構わない。
【００３０】
ここで、「角部」とは、図３に示されるように、シャフト２の側面部２ａ以外の領域で、外周面が所定のＲをもって（丸み付けられて）形成される部分を含む四隅の領域のことである。
【００３１】
本発明の一実施形態に係るシャフト２は、所定の繊維方向を有する中空状のプリプレグからなり、該シャフト２の長手方向に垂直な面でみて矩形状断面を備え、四隅の角部２Ａと、これらの角部２Ａを接続する４つの側面部２ａとを有し、該４つの側面部２ａの少なくとも一部における特定方向（後述する方向Ｄ）への滑り抵抗は、該角部の少なくとも一部における特定方向（後述する方向Ｄ）への滑り抵抗よりも大きく形成される。
【００３２】
本発明の一実施形態に係るシャフト２における当該特定の方向は、当該シャフト２の長手方向の内の一方向（後述する方向Ｄ）であるよう構成される。
【００３３】
本発明の一実施形態に係るシャフト２は、４つの側面部２ａにおける特定方向への滑り抵抗が、該角部２Ａにおける特定方向への滑り抵抗よりも大きく形成される。
【００３４】
図４を参照して、本発明の一実施形態におけるシャフト２の角部２Ａにおける外面の形状につき説明する。本発明の一実施形態に係るシャフト２は、プリプレグの外面に樹脂層３が形成され、当該角部２Ａの少なくとも一部における樹脂層は、所定の間隔（Ｘ）で複数の突状部６（以下、第２の突状部６という）を備えるよう構成される。図示のように、当該樹脂層３の外面には、塗装層４が形成されている。
【００３５】
また、本発明の一実施形態に係るシャフト２は、プリプレグの外面に樹脂層３が形成され、当該角部２Ａにおける樹脂層は、所定の間隔（Ｘ）で複数の第２の突状部６を備えるよう構成される。
【００３６】
次に、図５を参照して、本発明の一実施形態におけるシャフト２の側面部２ａにおける外面の形状につき説明する。本発明の一実施形態に係るシャフト２は、前記プリプレグの外面に樹脂層３が形成され、当該４つの側面部２ａの少なくとも一部における樹脂層３が、シャフト２の長手方向において、所定の間隔（Ｙ）で設けられる複数の突状部７（以下、第１の突状部７という）と、該複数の第１の突状部７の間を接続する複数の接続部８とを備えるよう構成される。図示のように、当該樹脂層３の外面には、塗装層４が形成されている。
【００３７】
本発明の一実施形態に係るシャフト２は、前記プリプレグの外面に樹脂層３が形成され、当該４つの側面部２ａにおける樹脂層３が、シャフト２の長手方向において、所定の間隔（Ｙ）で設けられる複数の第１の突状部７と、該複数の第１の突状部７の間を接続する複数の接続部８とを備えるよう構成される。
【００３８】
このように構成することで、前述のように、所定の繊維方向を有する中空状のプリプレグからなり、該シャフト２の長手方向に垂直な面でみて矩形状断面を備える本発明の一実施形態に係るシャフト２は、四隅の角部２Ａと、これらの角部２Ａを接続する４つの側面部２ａとを有し、該４つの側面部２ａの少なくとも一部若しくは全長手領域における特定方向（図５の方向Ｄ）への滑り抵抗は、該角部の少なくとも一部若しくは全長手領域における特定方向（図４の方向Ｄ）への滑り抵抗よりも大きく形成されることとなる。
【００３９】
また、樹脂層３の外面に形成される塗装層４が、上記複数の接続部８に溜まりやすくなることで、結果として、突状部の突出度合に影響を与え、上記滑り抵抗が増加しやすいことが判っている。これらのことから、矩形断面を有するシャフトをしっかり把持する際により接触しやすい領域（シャフト２の４つの側面部２ａ）の滑り抵抗を向上させつつ、シャフトから離れることなく把持位置を当該シャフトの長手方向で変更する際に、滑り抵抗が低い領域（シャフト２の四隅の角部２Ａ）に接触させるようにすることで当該位置を迅速かつ容易に変更可能となる。
【００４０】
本発明の一実施形態に係るシャフト２は、複数の接続部８は、略平坦かつ前記プリプレグの表面に略平行に形成される。これにより、このような接続部８が塗装層４を溜まりやすくすることを可能とする。
【００４１】
本発明の一実施形態に係るシャフト２は、所定の間隔（Ｘ、Ｙ）は、０．５から５ｍｍの範囲であるよう構成される。
【００４２】
本発明の一実施形態に係るシャフト２は、所定の間隔（Ｘ、Ｙ）は、シャフト２の長手方向における位置により異なるよう構成されてもよい。
【００４３】
本発明の一実施形態に係るシャフト２は、当該第１の突状部７と当該第２の突状部６の高さが、１０から５０μｍの範囲となるよう構成される。
【００４４】
本発明の一実施形態に係るシャフト２は、当該４つの側面部２ａの少なくとも一部における樹脂層３の突状部７の寸法が、当該シャフト２の長手方向における位置により異なるよう構成される。
【００４５】
本発明の一実施形態に係るシャフト２は、当該角部２Ａの少なくとも一部における樹脂層３の突状部６の寸法が、当該シャフト２の長手方向における位置により異なるよう構成される。
【００４６】
次に、シャフト２の製造方法の一例の概略につき説明する。
【００４７】
前述したように、本発明の一実施形態において、まず、樹脂が含浸された少なくとも周方向強化繊維としてのプリプレグシート若しくは周方向強化繊維と軸方向強化繊維（あるいは、傾斜方向強化繊維）とが織り込まれて成る織布状のものを用意する（ステップ１）。また、適宜各方向の強化繊維のプリプレグシートを用意する。
【００４８】
次に、本発明の一実施形態におけるシャフト２は、例えば、断面が矩形に形成された芯金（マンドレル）Ｍに対して、先から元側まで通すようにしてプリプレグシートを巻回する（ステップ２）。プリプレグシートは、前述の通り、織布状にした強化繊維に合成樹脂を含浸させて構成されたものであってもよく、その場合、当該織布状のものを芯金Ｍに対して、所定回数巻回する（ステップ２）。以下、プリプレグシートという場合、このような織布状のものも含まれるものとする。
【００４９】
なお、プリプレグシートについては、それを構成する強化繊維が、周方向のみならず、軸長方向或いは傾斜方向に引き揃えられたもの（一方向プリプレグシート）を含んでいても良い。この場合、シャフトとして割れや折れが生じないように、強化繊維の引き揃え方向が交差するように、一方向プリプレグシートについては重ねて組み合わせることが望ましい。また、シャフトの軸長方向において、部分的に補強されるように、補強用のプリプレグシートを巻回しても良い。そして、このような補強用のプリプレグシートについては、上記プリプレグシートに貼着されていても良い。
【００５０】
次に、プリプレグシートは、端縁が軸長方向に沿って芯金Ｍに対して当て付けられ、アイロン付け等される。そして、ローリングしながら芯金Ｍに巻回して行き、最終的に巻回し終わった段階で固定用のテープを巻回してプリプレグシートを安定させる（ステップ３）。
【００５１】
さらに、プリプレグシートが巻回されてテーピングされた芯金Ｍは、図６に示すように、プリプレグシートの各角部２Ａが露出するように、所定形状の押圧部材３０，３１が各側面部２ａにセットされる（ステップ４）。その後、図６に示すように、外側から押圧部材によりプリプレグシートの側面部２ａを押圧する（ステップ５）。この際、押圧部材３０，３１は、矩形の各側面部に対して、それぞれ直交方向で、中心に向かうように略均等の圧力で押圧される。当該押圧部材の形状、構造、寸法は図示のものに限られず、適宜設計可能である。また、押圧方法も様々に考えられるが、押圧部材の外側にテーピングを施し圧力を付加するよう構成しても構わない。
【００５２】
そして、この状態で加熱し、プリプレグシートに含浸されている樹脂がプリプレグシートから滲み出すような状態とする（ステップ６）。当該樹脂は、一度液体状（ハチミツ状）になるまで柔らかくなる。その後、このような状態のプリプレグシートを硬化させる（ステップ７）。最後に、押圧部材３０、３１及びテーピング２８を取り外す（ステップ８）。また、芯金Ｍを引き抜く（脱芯工程）ことで、本発明の一実施形態におけるシャフト２を得る（ステップ９）。なお、テーピングには、ＰＰ、ＰＥＴ、ＰＰ／ＰＥＴなど様々な材料が考えられるが、特定の材料に限定されるものではない。なお、形成されたシャフト２の表面に、塗装層４が施されるが、装飾用フィルム等を取着することで、外観を向上させるよう構成しても構わない。
【００５３】
次に、図７、８を参照して、ステップ７を終えた後の、樹脂層３の形状について説明する。図７に示すように、プリプレグシートに含浸されている樹脂がプリプレグシートから滲み出して硬化した様子が示されている。前述の押圧部材３０、３１は、プリプレグシートの角部２Ａには配置されていないため、当該角部２Ａにおいては、樹脂層３は、図７に示すような外側形状を有するように形成される。
【００５４】
次に、図８は、前述の押圧部材３０、３１が添えられている各側面部２ａにおける樹脂層３の形状を説明するものである。図７とは異なるのは、プリプレグシートに含浸されている樹脂がプリプレグシートから滲み出して硬化する際、当該樹脂は、テーピングだけでなくテーピングの上に配置される押圧部材３０、３１により紙面の上下方向の下方向に押圧される。そうすると、テーピングは、図示のように押されるため、その下の樹脂層３の外側形状は、複数の突状部７だけでなく、前述した接続部８が形成されることとなる。このように、シャフト２の角部２Ａと、側面部２ａとで、樹脂層３の外側輪郭を異なるように構成することができる。前述の押圧部材３０、３１は、プリプレグシートの角部２Ａには配置されていないため、当該角部２Ａにおいては、樹脂層３は、図７に示すような外側形状を有するように形成される。
【００５５】
このように構成することで、前述のように、所定の繊維方向を有する中空状のプリプレグからなり、該シャフト２の長手方向に垂直な面でみて矩形状断面を備える本発明の一実施形態に係るシャフト２は、四隅の角部２Ａと、これらの角部２Ａを接続する４つの側面部２ａとを有し、該４つの側面部２ａの少なくとも一部若しくは全長手領域における特定方向（図５の方向Ｄ）への滑り抵抗は、該角部の少なくとも一部若しくは全長手領域における特定方向（図４の方向Ｄ）への滑り抵抗よりも大きく形成されることとなる。
【００５６】
また、樹脂層３の外面に形成される塗装層４が、上記複数の接続部８に溜まりやすくなることで、結果として、突状部の突出度合に影響を与え、上記滑り抵抗が増加しやすいことが判っている。これらのことから、矩形断面を有するシャフトをしっかり把持する際により接触しやすい領域（シャフト２の４つの側面部２ａ）の滑り抵抗を向上させつつ、シャフトから離れることなく把持位置を当該シャフトの長手方向で変更する際に、滑り抵抗が低い領域（シャフト２の四隅の角部２Ａ）に接触させるようにすることで当該位置を迅速かつ容易に変更可能となる。
【００５７】
なお、上記した実施形態において、シャフト２を構成するプリプレグシートは、例えば、強化繊維の引き揃え方向、合成樹脂の含浸量、肉厚、巻回数等について、適宜変形して用いることが可能である。また、上記した実施形態では、繊維が積層構造を成しているが、シャフトが単一の層から形成されていてもよい。
【００５８】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００５９】
１  競技用スティック
２  シャフト
２Ａ  角部
２ａ  側面部
３  樹脂層
４  塗装層
５  ブレード
６  第２の突状部
７  第１の突状部
８  接続部
２８  テーピング
２９  テーピング
３０  押圧部材
３１  押圧部材
【図１】
2020005801.tif 000003
【図２】
2020005801.tif 000004
【図３】
2020005801.tif 000005
【図４】
2020005801.tif 000006
【図５】
2020005801.tif 000007
【図６】
2020005801.tif 000008
【図７】
2020005801.tif 000009
【図８】
2020005801.tif 000010